(57)【要約】      （修正有）【課題】  一人の点検者によってエレベータのインターホンの通話システムを点検することが可能で、しかも１台で構成できて携帯性に優れたエレベータのインターホン通話試験装置および通話試験方法を提供する。【解決手段】  インターホン通話試験装置１は、音声検出部２、表示部６および音声出力部７を備えている。このインターホン通話試験装置１をエレベータの乗りかご外部のインターホン親機１２に設置し、乗りかご内に設けられたインターホン子機１３の呼び出しボタン１３ａを押下することによりインターホン親機１２が鳴動するブザー音を、インターホン通話試験装置１の音声検出部２が検出して表示部６が表示することにより呼び出しブザー音鳴動の確認を行なう。インターホン通話試験装置１をインターホン子機１３に設置して点検する場合も通話確認を実施できる。【選択図】  図３
2005075478.tif 000002
【特許請求の範囲】
【請求項１】
外部の音声を検出する音声検出部と、この音声検出部により検出した音声検出レベルを調整するボリューム部と、このボリューム部からの出力を制御する制御部と、この制御部の出力に基づき動作する表示部と、前記制御部の出力に基づき動作する音声出力部とを備えてなるエレベータのインターホン通話試験装置。
【請求項２】
前記インターホン通話試験装置をエレベータの乗りかご外部のインターホン親機に設置し、前記乗りかご内に設けられたインターホン子機の呼び出しボタンを押下することにより前記インターホン親機が鳴動するブザー音を、前記インターホン通話試験装置の音声検出部が検出して表示部に表示することにより呼び出しブザー音鳴動の確認を行なう呼び出しブザー音鳴動の確認試験と、
前記インターホン通話試験装置をエレベータの乗りかご内に設けられたインターホン子機に設置し、前記乗りかご外部に設けられたインターホン親機から話しかけ、その音声を前記インターホン通話試験装置の音声検出部が検出して前記音声出力部が音声を出力し、その音声を、前記インターホン親機を介して確認することにより通話の確認を行なう通話確認試験と、
を行なうことを特徴とする請求項１に記載のエレベータのインターホン通話試験装置を用いた通話試験方法。
【発明の詳細な説明】
【技術分野】
【０００１】
本発明は、エレベータの乗りかごと監視センター等の乗りかご外部に設置されたインターホン親機および子機間の通話を試験する装置およびそのインターホン通話試験装置を用いた通話試験方法に関する。
【背景技術】
【０００２】
エレベータには、非常時にエレベータの乗りかご内と監視センター等の乗りかご外部との間で通話を行なうためにインターホンが設けられている。このインターホンは、乗りかご外部に設置されるインターホン親機と、エレベータの乗りかごに設置されるインターホン子機とで構成され、インターホン子機に設けられた呼び出しボタンを押下すると、乗りかご外部のインターホン親機を呼び出すようになっている。
【０００３】
これにより例えばエレベータの乗りかごが非常停止し、乗りかご内に利用者が閉じ込められた場合には、利用者が乗りかご内のインターホン子機の非常用呼び出しボタンを押下することにより、乗りかご外部のインターホン親機を呼び出すことができ、乗りかご内の状況を外部に連絡することができる。
【０００４】
このようなエレベータのインターホンによる通話システムは、非常時等の必要なときに動作しないと、利用者が乗りかご内に閉じ込められることになる等の問題が発生することになるので、定期的に通話システムの点検が行なわれる。
【０００５】
従来、この通話システムに対する点検は、乗りかご内にいる点検者がインターホン子機の呼び出しボタンを押下して乗りかご外部にいる点検者を呼び出し、乗りかご外部の点検者はインターホン親機の受話器を取り上げて呼び出しに応じ、この二人の点検者によりインターホン子機と親機を介して通話してその状態を確認することにより行なわれていた。
【０００６】
しかしながら、このような通話システムの点検は、点検時に二人の点検員が必要となることから、点検者が二人確保できない場合は、機会を改めて点検を行なわなければならず、効率が悪かった。
【０００７】
そこで乗りかご内のインターホン子機側には、所定時間経過後に呼び出しボタンを押下するとともに音を発生する試験装置を設け、一方、乗りかご外部の管理室のインターホン親機側には、音を発生するブザー装置を設け、点検者は呼び出しボタンが所定時間経過後に押下されると鳴動するブザー音を管理室で確認し、また管理室のインターホン親機の受話器を外すとともにブザー音を発生させておき、これを乗りかご内のインターホン子機側においてそのブザー音を確認するようにして、一人の点検者によってブザー音の鳴動と通話の確認ができるようにしたものが提案されている。
【特許文献１】特公平３−１４７４５号
【発明の開示】
【発明が解決しようとする課題】
【０００８】
しかしながら、この場合、試験装置は、管理室側に設置する機器と乗りかご側に設置する機器とが必要であり、部品点数が多くなることから携帯性が損なわれ、また管理面でも煩わしさが増加することは否めない。
【０００９】
そこで本発明は、上記の問題を解決するためになされたもので、一人の点検者によってエレベータのインターホンの通話システムを点検することが可能で、しかも１台で構成できて携帯性に優れたエレベータのインターホン通話試験装置およびそのインターホン通話試験装置を用いた通話試験方法を提供することを目的とする。
【課題を解決するための手段】
【００１０】
上記の課題を解決するため、本発明によるエレベータのインターホン通話試験装置は、外部の音声を検出する音声検出部と、この音声検出部により検出した音声検出レベルを調整するボリューム部と、このボリューム部からの出力を制御する制御部と、この制御部の出力に基づき動作する表示部と、制御部の出力に基づき動作する音声出力部とを備えてなることを特徴とする。
【００１１】
また本発明によるエレベータのインターホン通話試験装置を用いた通話試験方法は、インターホン通話試験装置をエレベータの乗りかご外部のインターホン親機に設置し、乗りかご内に設けられたインターホン子機の呼び出しボタンを押下することによりインターホン親機が鳴動するブザー音を、インターホン通話試験装置の音声検出部が検出して表示部に表示することにより呼び出しブザー音鳴動の確認を行なう呼び出しブザー音鳴動の確認試験と、
インターホン通話試験装置をエレベータの乗りかご内に設けられたインターホン子機に設置し、乗りかご外部に設けられたインターホン親機から話しかけ、その音声をインターホン通話試験装置の音声検出部が検出して音声出力部が音声を出力し、その音声を、インターホン親機を介して確認することにより通話の確認を行なう通話確認試験と、
を行なうことを特徴とする。
【発明の効果】
【００１２】
本発明によれば、一人の点検員により１台の試験装置を用いてインターホン親機および子機間における呼び出しブザー音の鳴動および通話の確認を行なうことができる。
【発明を実施するための最良の形態】
【００１３】
図１は本発明の一実施の形態を示すエレベータのインターホン通話試験装置のブロック図、図２は図１に示す回路を備えたインターホン通話試験装置の斜視図である。
【００１４】
図１および図２において、本実施の形態にかかるインターホン通話試験装置１は、音声検出部２、ボリューム部３，４、制御部５、表示部６、音声出力部７、トグルスイッチからなる音声出力部７のＯＮ，ＯＦＦスイッチ８および通話試験装置１の電源スイッチ９を有し、１台の箱体１０に組み込まれている。音声検出部２は、外部の音声を検出するマイクロフォンからなり、任意の個所に設置できるように箱体１０からコード１１を介して引き出されている。ボリューム部３は、この音声検出部２により検出した音声検出レベルを調整し、制御部５に入力する。制御部５はボリューム部３からの出力信号を制御して表示部６に出力するとともに音声出力部７に出力する。表示部６はＬＥＤからなり、制御部５からの出力に基づき点灯状態に維持されるようになっている。音声出力部７はブザーからなり、制御部５からの出力に基づき鳴動するようになっている。
【００１５】
なお、音声出力部７と制御部５との間には、ボリューム部４およびＯＮ，ＯＦＦスイッチ８を設けておき、ボリューム部４により音声出力部７のブザーが鳴動する時間を任意に設定できるようにし、またＯＮ、ＯＦＦスイッチ８によりブザーの鳴動を停止できるようにすることが望ましい。
【００１６】
かかる構成を有するインターホン通話試験装置１を用いて次のようにしてインターホン親機および子機間の通話試験を行なう。図３は図２に示すインターホン通話試験装置１を用いた呼び出しブザー音鳴動の確認試験の方法を示す概略構成図であり、１２は管理センター等の乗りかご外部に設けられたインターホン親機、１３は乗りかご内に設けられたインターホン子機である。インターホン子機１３は非常用の呼び出しボタン１３ａ、マイクロフォン１３ｂおよびスピーカ１３ｃを備え、かご内操作盤１４に組み込まれている。
【００１７】
インターホン通話試験装置１は、監視センターのインターホン親機１２側に設置し、音声検出部２をインターホン親機１２に近付けて配置し、電源スイッチ９をＯＮにしておく。この場合、周囲の環境に配慮してＯＮ，ＯＦＦスイッチ８をＯＮ操作して音声出力部７の鳴動を停止させておくことが望ましい。
【００１８】
インターホン通話試験装置１の設置後、点検員は乗りかご内に移動し、かご内操作盤１４に設けられたインターホン子機１３の呼び出しボタン１３ａを押下する。これによりインターホン親機１２のブザーが鳴動すると、このブザー音をインターホン通話試験装置１の音声検出部２が検出して表示部６を点灯させる。点検員は監視センターへ移動し、インターホン通話試験装置１の表示部６が点灯していることを確認することにより、呼び出しブザー音鳴動の確認を行なうことができる。
【００１９】
次にインターホンの通話確認を次のようにして行なう。図４は図２に示すインターホン通話試験装置を用いた通話確認試験の方法を示す概略構成図である。インターホン通話試験装置１を乗りかご内に設置し、音声検出部２をインターホン子機１３のスピーカ１３ｃの近くに設置して電源スイッチ９およびＯＮ，ＯＦＦスイッチ８をＯＮにしておく。
【００２０】
インターホン通話試験装置１の設置後、点検員は監視センターへ移動し、インターホン親機１２の受話器１２ａを取り上げて話しかける。その音声がインターホン通話試験装置１の音声検出部２により検出されて音声出力部７からブザー音が出力されるので、そのブザー音の鳴動を、インターホン親機１２の受話器１２ａを介して聞き取り確認することにより通話の確認を行なうことができる。
【００２１】
この通話の確認試験と呼び出しブザー音鳴動の確認試験は、順序を逆にして行なってもよい。
【００２２】
このようにして点検員が一人で１台のインターホン通話試験装置１を携帯し移動させて監視センター側のインターホン親機１２および乗りかご側のインターホン子機１３に設置することにより、インターホン親機１２および子機１３間のブザー音鳴動および通話の確認試験を行なうことができる。
【００２３】
なお、音声主力部として、トルグスイッチを例示しているが、シーソースイッチやスライドスイッチ等のスイッチ機構を有していれば、どのようなスイッチであっても構わない。また、表示部の光源としては、ＬＥＤでなくても、白熱灯、液晶ディスプレイ、冷陰極管、蛍光灯等何れであっても構わない。
【図面の簡単な説明】
【００２４】
【図１】本発明の一実施の形態を示すエレベータのインターホン通話試験装置のブロック図である。
【図２】図１に示す回路を備えたインターホン通話試験装置の斜視図である。
【図３】図２に示すインターホン通話試験装置を用いた呼び出しブザー音鳴動の確認試験の方法を示す概略構成図である。
【図４】図２に示すインターホン通話試験装置を用いた通話確認試験の方法を示す概略構成図である。
【符号の説明】
【００２５】
１…インターホン通話試験装置
２…音声検出部
３，４…ボリューム部
５…制御部
６…表示部
７…音声出力部
８…ＯＮ，ＯＦＦスイッチ
９…電源スイッチ
１０…箱体
１１…コード
１２…インターホン親機
１３…インターホン子機
１３ａ…呼び出しボタン
１３ｂ…マクロフォン
１３ｃ…スピーカ
１４…かご内操作盤
【図１】
2005075478.tif 000003
【図２】
2005075478.tif 000004
【図３】
2005075478.tif 000005
【図４】
2005075478.tif 000006